(57)【要約】【課題】本発明は、複数の無線回路が機能回路と共通の端末に搭載されても、クロック信号のノイズを減衰させることができるノイズ低減回路、ノイズ低減装置、ノイズ低減方法及びノイズ低減プログラムの提供を目的とする。【解決手段】本願発明のノイズ低減回路は、異なる周波数帯域の無線信号を受信する複数の無線回路のうちの無線信号を受信する無線回路に応じて、クロック信号の通過経路を切り替える切り替え回路３０２及び切り替え回路３０３と、切り替え回路３０２及び切り替え回路３０３で切り替えた通過経路に配置されかつ通過経路ごとに異なる周波数帯域のノイズをクロック信号から除去する複数のノイズ除去回路３１１及び３１２と、を備える。【選択図】図３
2011071909.tif 000002
【特許請求の範囲】
【請求項１】
異なる周波数帯域の無線信号を受信する複数の無線回路のうちの無線信号を受信する無線回路に応じて、クロック信号の通過経路を切り替える切り替え回路と、
前記切り替え回路で切り替えた通過経路に配置されかつ通過経路ごとに異なる周波数帯域のノイズをクロック信号から除去する複数のノイズ除去回路と、
を備えるノイズ低減回路。
【請求項２】
前記複数のノイズ除去回路の除去するノイズの周波数帯域は、それぞれ、前記無線回路の受信する周波数帯域に対応しており、
前記切り替え回路は、前記無線回路の受信する無線信号の周波数帯域に応じて、クロック信号の通過経路を切り替える請求項１に記載のノイズ低減回路。
【請求項３】
前記切り替え回路は、無線信号を受信する前記無線回路のうち、受信レベルが最も低い無線回路に対応したノイズ除去回路の配置されている通過経路に、クロック信号の通過経路を切り替える請求項１又は２に記載のノイズ低減回路。
【請求項４】
前記複数の無線回路には優先順位が予め設定されており、
前記切り替え回路は、無線信号を受信する前記無線回路のうち、優先順位が最も高い無線回路に対応したノイズ除去回路の配置されている通過経路に、クロック信号の通過経路を切り替える請求項１から３のいずれかに記載のノイズ低減回路。
【請求項５】
機能回路のクロック信号を出力するＣＰＵと、
前記ＣＰＵからのクロック信号のノイズを低減する、請求項１から４のいずれかに記載のノイズ低減回路と、
前記ノイズ低減回路から出力されたクロック信号を用いて動作する機能回路と、
を備えるノイズ低減装置。
【請求項６】
異なる周波数帯域の無線信号を受信する複数の無線回路のうちの無線信号を受信する無線回路に応じて、クロック信号の通過経路を切り替える切り替え手順と、
前記切り替え手順で切り替えた通過経路ごとに異なる周波数帯域のノイズをクロック信号から除去するノイズ除去手順と、
を順に有するノイズ低減方法。
【請求項７】
前記ノイズ除去手順で除去する各通過経路のノイズの周波数帯域は、前記複数の無線回路の受信する周波数帯域に対応しており、
前記切り替え手順において、前記無線回路が受信した無線信号の周波数帯域に応じて、クロック信号の通過経路を切り替える請求項６に記載のノイズ低減方法。
【請求項８】
前記切り替え手順において、無線信号を受信する前記無線回路のうち、受信レベルが最も低い無線回路に応じた通過経路に、クロック信号の通過経路を切り替える請求項６又は７に記載のノイズ低減方法。
【請求項９】
前記複数の無線回路には優先順位が予め設定されており、
前記切り替え手順において、無線信号を受信する前記無線回路のうち、優先順位が最も高い無線回路に応じた通過経路に、クロック信号の通過経路を切り替える請求項６から８のいずれかに記載のノイズ低減方法。
【請求項１０】
前記ノイズ除去手順でノイズを除去したクロック信号を用いて回路を動作させる機能回路動作手順を、前記ノイズ除去手順の後にさらに有する請求項６から９のいずれかに記載のノイズ低減方法。
【請求項１１】
異なる周波数帯域の無線信号を受信する複数の無線回路のうちの無線信号を受信する無線回路に応じて、クロック信号の通過経路を切り替える切り替えステップと、
前記切り替えステップで切り替えた通過経路ごとに異なる周波数帯域のノイズをクロック信号から除去するノイズ除去ステップと、
を順にコンピュータに実行させるノイズ低減プログラム。
【請求項１２】
前記ノイズ除去ステップで除去する各通過経路のノイズの周波数帯域は、前記複数の無線回路の受信する周波数帯域に対応しており、
前記切り替えステップにおいて、前記無線回路が受信した無線信号の周波数帯域に応じて、クロック信号の通過経路を切り替える請求項１１に記載のノイズ低減プログラム。
【請求項１３】
前記切り替えステップにおいて、無線信号を受信する前記無線回路のうち、受信レベルが最も低い無線回路に応じた通過経路に、クロック信号の通過経路を切り替える請求項１１又は１２に記載のノイズ低減プログラム。
【請求項１４】
前記複数の無線回路には優先順位が予め設定されており、
前記切り替えステップにおいて、無線信号を受信する前記無線回路のうち、優先順位が最も高い無線回路に応じた通過経路に、クロック信号の通過経路を切り替える請求項１１から１３のいずれかに記載のノイズ低減プログラム。
【請求項１５】
前記ノイズ除去ステップでノイズを除去したクロック信号を用いて回路を動作させる機能回路動作ステップを、前記ノイズ除去ステップの後にさらにコンピュータに実行させる請求項１１から１４のいずれかに記載のノイズ低減プログラム。
【発明の詳細な説明】
【技術分野】
【０００１】
本発明は、クロック信号のノイズを低減するノイズ低減回路及びノイズ低減方法に関する。
【背景技術】
【０００２】
携帯型の通信端末に、無線回路とＬＣＤ（Ｌｉｑｕｉｄ  Ｃｒｙｓｔａｌ  Ｄｉｓｐｌａｙ）、カメラなどの機能回路が搭載されている。機能回路のクロック信号の通過経路には、無線回路の受信帯域のノイズを減衰させるために、ＥＭＩ（Ｅｌｅｃｔｒｏ  Ｍａｇｎｅｔｉｃ  Ｉｎｔｅｒｆｅｒｅｎｃｅ）フィルタあるいはコイルやコンデンサなどのノイズ除去回路が配置されている。そのようななか、クロック信号のノイズを低減するノイズ低減回路が提案されている（例えば、特許文献１−５参照。）。
【０００３】
特許文献１のノイズ低減回路では、切り替え回路を備え、以下のように動作する。切り替え回路は、クロック信号に応じて、使用するクロック信号の通過経路を切り替える。通過経路の選択により、クロック信号の速度差をクロックバスの配線長により遅延時間を補い、セットアップ時間を所定時間に保つ。
【０００４】
特許文献２のノイズ低減回路では、制御回路を備え、以下のように動作する。制御回路は、受信信号中のノイズレベルに応じてノイズの抑圧を行なう。
【０００５】
特許文献３のノイズ低減回路では、切り替えスイッチを備え、以下のように動作する。切り替えスイッチは、ＣＰＵから入力される撮像クロック切り替え制御信号に応じて撮像クロック信号の伝達経路を切り替える。これにより、撮像クロック信号がタイミングジェネレータに直接入力されるようにする。
【０００６】
特許文献４のノイズ低減回路では、２段のノイズ除去回路と、誤差検出回路と、切り替え回路と、を備え、以下のように動作する。２段のノイズ除去回路は、縦続に接続されており、画像の輪郭のノイズを低減する。誤差検出回路は、１段目のノイズ除去回路の入力信号と出力信号の差の絶対値を算出する。切り替え回路は、誤差検出回路からの出力レベルに応じて、２段目のノイズ除去回路の出力信号と、１段目のノイズ除去回路の出力信号と、１段目のノイズ除去回路の入力信号と、を切り替える。これにより、画像の輪郭検出のミスによる画像のぼけを少なくする。
【０００７】
特許文献５のノイズ低減回路では、複数個のノイズ除去回路を備え、以下のように動作する。動作モードに応じて複数個のノイズ除去回路の中から最適なノイズ除去回路を選択的に使用する。これにより、ノイズによるデータ読み出し動作時における制御回路の誤動作を未然に防止する。
【先行技術文献】
【特許文献】
【０００８】
【特許文献１】特開２００３−３１６４７０号公報
【特許文献２】特開２００４−０４８３１７号公報
【特許文献３】特開２００８−１０９４８５号公報
【特許文献４】特開平０９−２３３３６９号公報
【特許文献５】特開平１１−１１０９６８号公報
【発明の概要】
【発明が解決しようとする課題】
【０００９】
クロック信号の通過経路にノイズ除去回路が配置されない場合、図１（ａ）のように全帯域を通過する。一方、図１（ｂ）のようなノイズ除去回路を使用すると、所望の周波数帯のノイズを減衰させることができる。このとき、図２（ａ）を元の波形とすると、図２（ｂ）のように波形が歪む。
【００１０】
携帯型の通信端末に複数の無線回路が搭載されている。この場合、図１（ｂ）のようなノイズ除去回路を使用したのでは、すべての無線回路の受信帯域のノイズを低減するのは困難である。
【００１１】
上述した特許文献１−５に記載のノイズ低減回路では、クロック信号の通過経路に生じたノイズを除去したり、動作の最適化を行なったりするために経路の切り替えを行なっている。このため、複数の無線回路をもつ携帯型の通信端末において、すべての無線回路の受信帯域のノイズを低減するのは困難である。
【００１２】
また、仮に図１（ｃ）のように広帯域のノイズを減衰させるノイズ除去回路を使用したとする。この場合、図２（ｃ）のようにクロック信号の波形が大きく歪んでしまうため、機能回路は正常に動作しなくなる問題がある。あるいは波形が歪まないようにクロック信号の周波数を小さくする必要があるため、クロック信号の伝送速度が低下する問題がある。
【００１３】
前記課題を解決するために、本発明は、複数の無線回路が機能回路と共通の端末に搭載されても、クロック信号のノイズを減衰させることができるノイズ低減回路、ノイズ低減装置、ノイズ低減方法及びノイズ低減プログラムの提供を目的とする。
【課題を解決するための手段】
【００１４】
本願発明のノイズ低減回路は、異なる周波数帯域の無線信号を受信する複数の無線回路のうちの無線信号を受信する無線回路に応じて、クロック信号の通過経路を切り替える切り替え回路と、前記切り替え回路で切り替えた通過経路に配置されかつ通過経路ごとに異なる周波数帯域のノイズをクロック信号から除去する複数のノイズ除去回路と、を備える。
【００１５】
本願発明のノイズ低減装置は、機能回路のクロック信号を出力するＣＰＵと、前記ＣＰＵからのクロック信号のノイズを低減する、本願発明のノイズ低減回路と、前記ノイズ低減回路から出力されたクロック信号を用いて動作する機能回路と、を備える。
【００１６】
本願発明のノイズ低減方法は、異なる周波数帯域の無線信号を受信する複数の無線回路のうちの無線信号を受信する無線回路に応じて、クロック信号の通過経路を切り替える切り替え手順と、前記切り替え手順で切り替えた通過経路ごとに異なる周波数帯域のノイズをクロック信号から除去するノイズ除去手順と、を順に有する。
【００１７】
本願発明のノイズ低減プログラムは、異なる周波数帯域の無線信号を受信する複数の無線回路のうちの無線信号を受信する無線回路に応じて、クロック信号の通過経路を切り替える切り替えステップと、前記切り替えステップで切り替えた通過経路ごとに異なる周波数帯域のノイズをクロック信号から除去するノイズ除去ステップと、を順にコンピュータに実行させる。
【発明の効果】
【００１８】
本発明によれば、複数の無線回路が機能回路と共通の端末に搭載されても、クロック信号のノイズを減衰させることができるノイズ低減回路、ノイズ低減装置、ノイズ低減方法及びノイズ低減プログラムの提供をすることができる。
【図面の簡単な説明】
【００１９】
【図１】ノイズ除去回路使用時の通過損失の変化の一例であり、（ａ）はノイズ除去回路を使用しない場合を示し、（ｂ）は帯域の狭いノイズ除去回路を使用した場合を示し、（ｃ）は帯域の広いノイズ除去回路を使用した場合を示す。
【図２】ノイズ除去回路使用時のクロック信号の波形の変化の一例であり、（ａ）はノイズ除去回路を使用しない場合を示し、（ｂ）は帯域の狭いノイズ除去回路を使用した場合を示し、（ｃ）は帯域の広いノイズ除去回路を使用した場合を示す。
【図３】実施形態１に係るノイズ低減回路の一例を示す。
【図４】実施形態１に係るノイズ低減方法の一例を示す。
【図５】実施形態１に係るノイズ低減プログラムの一例を示す。
【図６】実施形態２に係るノイズ低減装置の一例を示す。
【図７】実施形態２に係るノイズ低減方法の一例を示す。
【図８】実施形態２に係るノイズ低減プログラムの一例を示す。
【図９】実施形態３に係るノイズ低減装置の一例を示す。
【図１０】実施形態３に係る通過損失の一例であり、（ａ）はノイズ除去回路３１１を使用した場合を示し、（ｂ）はノイズ除去回路３１２を使用した場合を示す。
【図１１】無線機の動作の第１例を示す。
【図１２】無線機の動作の第２例を示す。
【図１３】実施形態４に係るノイズ低減装置の一例を示す。
【図１４】実施形態５に係るノイズ低減装置の一例を示す。
【発明を実施するための形態】
【００２０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２１】
（実施形態１）
図３に、本実施形態に係るノイズ低減回路の一例を示す。本実施形態に係るノイズ低減回路は、切り替え回路３０２及び３０３と、複数のノイズ除去回路３１１及び３１２と、を備え、本実施形態に係るノイズ低減方法を実行する。
【００２２】
切り替え回路３０２及び３０３は、異なる周波数帯域の無線信号を受信する複数の無線回路（不図示）のうちの無線信号を受信する無線回路に応じて、クロック信号の通過経路を切り替える。これにより、使用する無線回路に応じて通過するノイズ除去回路３１１及び３１２を切り替えることができる。ノイズ除去回路３１１及び３１２は、切り替え回路３０２及び３０３で切り替えた通過経路に配置されかつ通過経路ごとに異なる周波数帯域のノイズをクロック信号から除去する。これにより、通過するノイズ対策部品の種類を変更し、ノイズを減衰させる周波数を変更することができる。
【００２３】
図４に、本実施形態に係るノイズ低減方法の一例を示す。本実施形態に係るノイズ低減方法は、切り替え手順Ｓ１１２と、ノイズ除去手順Ｓ１１３と、を順に有する。切り替え手順Ｓ１１２では、切り替え回路３０２及び３０３が、異なる周波数帯域の無線信号を受信する複数の無線回路（不図示）のうちの無線信号を受信する無線回路に応じて、クロック信号の通過経路を切り替える。これにより、使用する無線回路に応じて通過するノイズ除去回路３１１及び３１２を切り替えることができる。ノイズ除去手順Ｓ１１３では、切り替え手順Ｓ１１２で切り替えた通過経路ごとに異なる周波数帯域のノイズをクロック信号から除去する。これにより、通過するノイズ対策部品の種類を変更し、ノイズを減衰させる周波数を変更することができる。
【００２４】
なお、本実施形態に係るノイズ低減回路は、本実施形態に係るノイズ低減プログラムをコンピュータに実行させることで実現してもよい。図５に、本実施形態に係るノイズ低減プログラムの一例を示す。本実施形態に係るノイズ低減プログラムは、切り替えステップＳ２１２と、ノイズ除去ステップＳ２１３と、を順にコンピュータに実行させる。
【００２５】
切り替えステップＳ２１２では、異なる周波数帯域の無線信号を受信する複数の無線回路（不図示）のうちの無線信号を受信する無線回路に応じて、クロック信号の通過経路を切り替える。ノイズ除去ステップＳ２１３では、切り替えステップＳ２１２で切り替えた通過経路ごとに異なる周波数帯域のノイズをクロック信号から除去する。これにより、本実施形態に係るノイズ低減回路を実現することができる。
【００２６】
本実施形態に係るノイズ低減回路を用いることで、ＣＰＵからＬＣＤ、カメラなどの機能回路に送られるクロック信号の経路を切り替えることができる。これにより、通過するノイズ対策部品の種類を変更し、ノイズを減衰させる周波数を変更することができる。したがって、複数の無線回路が機能回路と共通の端末に搭載されても、クロック信号のノイズを減衰させることができるノイズ低減回路、ノイズ低減方法及びノイズ低減プログラムの提供をすることができる。また、広帯域のノイズを減衰させるノイズ対策部品を使用しないため、高周波のクロック信号でも波形の歪を小さくできる。
【００２７】
さらに、本実施形態に係るノイズ低減回路を用いることで、以下の効果が得られる。第１に、クロック信号のノイズを除去することで低電界での通信品質を向上することができる。第２に、狭帯域のノイズ除去回路を使用することでクロック信号波形の歪を小さくすることができる。第３に、クロック信号波形の歪を小さくできるため、クロック信号の周波数を高くすることができる。第４に、クロック信号波形の歪を小さくできるため、振幅の小さいクロック信号にも適用することができる。第５に、低電界で適切なノイズ除去回路を選択することで複数の無線回路の同時使用にも対応可能である。
【００２８】
（実施形態２）
図６に、本実施形態に係るノイズ低減装置の一例を示す。本実施形態に係るノイズ低減装置１００は、実施形態１で説明したノイズ低減回路にさらにＣＰＵ３０１と機能回路３０４を備え、本実施形態に係るノイズ低減方法を実行する。
【００２９】
ＣＰＵ３０１は、機能回路３０４のクロック信号を出力する。切り替え回路３０２及び３０３は、異なる周波数帯域の無線信号を受信する複数の無線回路（不図示）のうちの無線信号を受信する無線回路に応じて、ＣＰＵ３０１からのクロック信号の通過経路を切り替える。ノイズ除去回路３１１及び３１２は、切り替え回路３０２で切り替えた通過経路に配置されかつ通過経路ごとに異なる周波数帯域のノイズをクロック信号から除去する。
【００３０】
機能回路３０４は、図３に示したノイズ低減回路から出力されたクロック信号を用いて動作する。すなわち、ノイズ除去回路３１１又はノイズ除去回路３１２から出力されたクロック信号を用いて動作する。クロック信号から無線回路の受信帯域に応じた周波数のノイズを低減することができるため、クロック信号の波形が大きく歪んだり、クロック信号の周波数を小さくしたりすることなく、機能回路３０４を正常に動作させることができる。
【００３１】
図７に、本実施形態に係るノイズ低減方法の一例を示す。本実施形態に係るノイズ低減方法は、図４に示したノイズ低減方法の後に、機能回路動作手順Ｓ１１４をさらに有する。機能回路動作手順Ｓ１１４では、ノイズ除去手順Ｓ１１３でノイズを除去したクロック信号を用いて機能回路３０４を動作させる。無線回路の受信帯域に応じた周波数のノイズを低減することができる。このため、クロック信号の波形が大きく歪んだり、クロック信号の周波数を小さくしたりすることなく、機能回路３０４を正常に動作させることができる。
【００３２】
図８に、本実施形態に係るノイズ低減プログラムの一例を示す。本実施形態に係るノイズ低減プログラムは、図５に示したノイズ低減プログラムの後に、機能回路動作ステップＳ２１４をさらに有する。機能回路動作ステップＳ２１４では、ノイズ除去ステップＳ２１３でノイズを除去したクロック信号を用いて機能回路３０４を動作させる。これにより、本実施形態に係るノイズ低減装置１００を実現することができる。
【００３３】
機能回路３０４が使用するクロック信号の経路を切り替えることで、通過するノイズ対策部品の種類を変更し、ノイズを減衰させる周波数を変更することができる。したがって、複数の無線回路が機能回路３０４と共通の端末に搭載されても、クロック信号のノイズを減衰させることができるノイズ低減装置、ノイズ低減方法及びノイズ低減プログラムの提供をすることができる。また、広帯域のノイズを減衰させるノイズ対策部品を使用しないため、高周波のクロック信号でも波形の歪を小さくできる。
【００３４】
（実施形態３）
図９に、本実施形態に係るノイズ低減装置の一例を示す。本実施形態に係るノイズ低減装置は、実施形態２で説明したノイズ低減装置１００が無線機１０１である場合について説明する。無線機１０１は、例えば、携帯電話、ＰＤＡ（Ｐｅｒｓｏｎａｌ  Ｄｉｇｉｔａｌ  Ａｓｓｉｓｔａｎｔｓ）である。
【００３５】
無線機１０１は、複数の無線回路２０１及び無線回路２０２を備えるとともに、複数のノイズ除去回路３１１及び３１２を備える。ＣＰＵ３０１は、無線回路２０１、無線回路２０２につながっており各回路の制御を行なう。無線回路２０１、アンテナ＃１は無線システムＡを使用するときに動作する回路である。無線回路２０２、アンテナ＃２は無線システムＢを使用するときに動作する回路であり、無線システムＡとは使用周波数帯域が異なる。無線システムＡと無線システムＢは使用周波数帯域が異なる無線システムでありどちらか片方で通信をする。あるいは、両方同時に通信する場合もある。
【００３６】
無線システムＡ及び無線システムＢは、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＷＬＡＮ（Ｗｉｒｅｌｅｓｓ  ＬＡＮ）、ＤＴＶ（Ｄｉｇｉｔａｌ  ＴｅｌｅＶｉｓｉｏｎ）、ＧＰＳ（Ｇｌｏｂａｌ  Ｐｏｓｉｔｉｏｎｉｎｇ  Ｓｙｓｔｅｍ）である。
【００３７】
機能回路３０４は、通信機能以外の機能をもつ回路でＣＰＵ３０１から送られる周波数ｆＡのクロック信号で動作する機能回路である。通信機能以外の機能は、例えば、ＬＣＤ（Ｌｉｑｕｉｄ  Ｃｒｙｓｔａｌ  Ｄｉｓｐｌａｙ）、カメラである。
【００３８】
ノイズ除去回路３１１は、図１０（ｂ）のような特性を持っており、無線回路２０１の受信帯域のノイズを減衰させる。ノイズ除去回路３１２は、図１０（ｃ）のような特性を持っており、無線回路２０１の受信帯域とは異なる無線回路２０２の受信帯域のノイズを減衰させる。
【００３９】
切り替え回路３０２および切り替え回路３０３はクロック信号の経路を切り替える回路であり無線回路２０１で通信中はノイズ除去回路３１１を通過する経路を選択する。また、無線回路２０２で通信中はノイズ除去回路３１２を通過する経路を選択する。
【００４０】
図１１に、無線機の動作の第１例を示す。無線機の動作の第１例では、無線回路２０１と無線回路２０２がどちらか片方で通信する場合について説明する。
手順Ｓ１１では、無線回路２０１が通信を行なっているとする。このとき切り替え回路３０２および切り替え回路３０３は、ノイズ除去回路３１１を通過する経路を選択している。
【００４１】
手順Ｓ１２では、無線回路２０１と無線回路２０２のいずれで通信を行なうのかを判定する。例えば、無線回路２０１での通信をやめて無線回路２０２で通信するようにＣＰＵ３０１から要請があったとする。この場合、無線回路２０２で通信を行なう旨判定し、手順Ｓ１３へ移行する。無線回路２０１での通信をやめて無線回路２０２で通信するようにＣＰＵ３０１から要請がなければ手順Ｓ１１へ移行する。
【００４２】
手順Ｓ１３では、無線回路２０２を用いて通信を行ない、無線回路２０２で通信している状態に切り替わる。このとき、図７に示す切り替え手順Ｓ１１２を実行し、切り替え回路３０２および切り替え回路３０３はノイズ除去回路３１２を通過する経路を選択する。
【００４３】
そして、図７に示すノイズ除去手順Ｓ１１３を実行する。このとき、ノイズ除去回路３１２は、ＣＰＵ３０１からのクロック信号のうち、無線回路２０２の受信帯域のノイズを減衰させる。そして、図７に示す機能回路動作手順Ｓ１１４を実行する。このとき、機能回路３０４は、ノイズ除去回路３１２を通過したクロック信号を用いて動作する。
【００４４】
手順Ｓ１４では、無線回路２０１と無線回路２０２のいずれで通信を行なうのかを判定する。例えば、無線回路２０１で通信するようにＣＰＵ３０１から要請があったとする。この場合、無線回路２０１で通信を行なう旨判定し、手順Ｓ１１へ移行する。
【００４５】
手順Ｓ１１では、無線回路２０１が用いて通信を行なっている状態に切り替わる。そして、図７に示す切り替え手順Ｓ１１２を実行し、切り替え回路３０２および切り替え回路３０３はノイズ除去回路３１１を通過する経路を選択する。そして、図７に示すノイズ除去手順Ｓ１１３を実行し、ノイズ除去回路３１２はＣＰＵ３０１からのクロック信号のうち、無線回路２０１の受信帯域のノイズを減衰させる。そして、図７に示す機能回路動作手順Ｓ１１４を実行する。このとき、機能回路３０４は、ノイズ除去回路３１１を通過したクロック信号を用いて動作する。
【００４６】
ここで、図７に示す切り替え手順Ｓ１１２において、切り替え回路３０２及び切り替え回路３０３は、無線回路２０１及び無線回路２０２の受信帯域に応じてクロック信号の通過経路を切り替えてもよい。例えば、ノイズ除去回路３１１の除去する周波数帯域は無線回路２０１の受信する周波数帯域に対応し、ノイズ除去回路３１２の除去する周波数帯域は無線回路２０２の受信する周波数帯域に対応している。
【００４７】
この場合、受信した無線信号の周波数帯域が無線回路２０１の受信する周波数帯域に対応していれば、図７に示す切り替え手順Ｓ１１２において、切り替え回路３０２及び切り替え回路３０３は、ノイズ除去回路３１１の配置されている通過経路にクロック信号の通過経路を切り替える。受信した無線信号の周波数帯域が無線回路２０２の受信する周波数帯域に対応していれば、図７に示す切り替え手順Ｓ１１２において、切り替え回路３０２及び切り替え回路３０３は、ノイズ除去回路３１２の配置されている通過経路にクロック信号の通過経路を切り替える。これにより、無線回路２０１及び無線回路２０２ごとに適した周波数のノイズを除去することができるため、クロック信号のノイズを効率よく除去することができる。
【００４８】
本実施形態に係るノイズ低減装置を図８に示すノイズ低減プログラムをコンピュータに実行させてもよい。この場合は、図８に示す切り替えステップＳ２１２において、コンピュータを以下のように実行させる。受信した無線信号の周波数帯域が無線回路２０１の受信する周波数帯域に対応していれば、図８に示す切り替えステップＳ２１２において、切り替え回路３０２及び切り替え回路３０３は、ノイズ除去回路３１１の配置されている通過経路にクロック信号の通過経路を切り替える。受信した無線信号の周波数帯域が無線回路２０２の受信する周波数帯域に対応していれば、図８に示す切り替えステップＳ２１２において、切り替え回路３０２及び切り替え回路３０３は、ノイズ除去回路３１２の配置されている通過経路にクロック信号の通過経路を切り替える。
【００４９】
図１２に、無線機の動作の第２例を示す。無線機の動作の第２例では、無線回路２０１と無線回路２０２が両方同時に通信する場合について説明する。
手順Ｓ２１では、ＣＰＵ３０１は無線回路２０１あるいは無線回路２０２の受信レベルが一定値以下にならないか監視している。このとき切り替え回路３０２および切り替え回路３０３は前回選択したノイズ除去回路を通過する経路を選択している。なお、受信レベルが十分高ければノイズ除去回路はどちらを選択していても通信品質には影響を与えない。
【００５０】
手順Ｓ２２では、無線回路２０１及び無線回路２０２の両方の受信レベルが一定値以下になったか否かを判定する。無線回路２０１および無線回路２０２の受信レベルが両方同時に一定値以下になったとき、手順Ｓ２５へ移行する。無線回路２０１および無線回路２０２の受信レベルが両方同時に一定値を超えれば、手順Ｓ２３へ移行する。手順Ｓ２５では、切り替え回路３０２および切り替え回路３０３は、優先順位の高い無線回路のノイズを減衰させるノイズ除去回路を通過する経路を選択する。この場合、優先順位の高い無線回路を予め決めておく。
【００５１】
このように、切り替え回路３０２及び切り替え回路３０３は、無線回路２０１及び無線回路２０２の優先順位に応じてクロック信号の通過経路を切り替えてもよい。例えば、無線回路２０２よりも無線回路２０１の優先順位が高いとする。この場合、図７に示す切り替え手順Ｓ１１２において、切り替え回路３０２及び切り替え回路３０３は、無線信号を受信する無線回路２０１及び無線回路２０２のうち、優先順位が最も高い無線回路２０１に対応したノイズ除去回路の配置されている通過経路に、クロック信号の通過経路を切り替える。これにより、無線回路２０１及び無線回路２０２ごとにクロック信号への影響の度合いが異なる場合などに、優先順位を定めておくことで、クロック信号のノイズを効率よく除去することができる。
【００５２】
本実施形態に係るノイズ低減装置を図８に示すノイズ低減プログラムをコンピュータに実行させることで実現してもよい。この場合は、図８に示す切り替えステップＳ２１２において、切り替え回路３０２及び切り替え回路３０３は、無線信号を受信する無線回路２０１及び無線回路２０２のうち、優先順位が最も高い無線回路２０１に対応したノイズ除去回路の配置されている通過経路に、クロック信号の通過経路を切り替える。
【００５３】
また、図７に示す切り替え手順Ｓ１１２において、切り替え回路３０２及び切り替え回路３０３は、無線回路２０１及び無線回路２０２の受信レベルに応じてクロック信号の通過経路を切り替えてもよい。例えば、無線回路２０２よりも無線回路２０１の受信レベルが低いとする。この場合、切り替え回路３０２及び切り替え回路３０３は、無線信号を受信する無線回路２０１及び無線回路２０２のうち、受信レベルが最も低い無線回路２０１に対応したノイズ除去回路３１１の配置されている通過経路に、クロック信号の通過経路を切り替える。これにより、クロック信号のノイズを効率よく除去することができる。
【００５４】
本実施形態に係るノイズ低減装置を図８に示すノイズ低減プログラムをコンピュータに実行させることで実現してもよい。この場合は、図８に示す切り替えステップＳ２１２において、切り替え回路３０２及び切り替え回路３０３は、無線信号を受信する無線回路２０１及び無線回路２０２のうち、受信レベルが最も低い無線回路２０１に対応したノイズ除去回路３１１の配置されている通過経路に、クロック信号の通過経路を切り替える。
【００５５】
手順Ｓ２３では、無線回路２０１の受信レベルが一定値以下になったか否かを判定する。無線回路２０１の受信レベルが一定値以下になったときは手順Ｓ２６へ移行する。無線回路２０１の受信レベルが一定値以下にならなければ手順Ｓ２４へ移行する。手順Ｓ２６では、切り替え回路３０２および切り替え回路３０３はノイズ除去回路３１１を通過する経路を選択する。
【００５６】
手順Ｓ２４では、無線回路２０２の受信レベルが一定値以下になったか否かを判定する。無線回路２０２の受信レベルが一定値以下になったときは手順Ｓ２７へ移行し、無線回路２０２の受信レベルが一定値以下にならなければ手順Ｓ２１へ移行する。手順Ｓ２７では、切り替え回路３０２および切り替え回路３０３はノイズ除去回路３１２を通過する経路を選択する。
【００５７】
（実施形態４）
図１３に、本実施形態に係るノイズ低減装置の一例を示す。本実施形態に係るノイズ低減装置は、実施形態３で説明したノイズ低減装置が無線機１０２である場合について説明する。
【００５８】
無線機１０２は、３つの無線回路２０１，２０２，２０３と３つのノイズ除去回路３１１，３１２，３１３を備える。ノイズ除去回路３１１、３１２、３１３はそれぞれ無線回路２０１，２０２，２０３の受信帯域のノイズを減衰させる。そのとき通信している無線回路に応じて、切り替え回路３０２および切り替え回路３０３はそれぞれの無線回路に対応するノイズ除去回路を通過する経路を選択する。無線回路２０１，２０２，２０３の３つが同時に通信している場合は、無線回路が２つの場合の同様に受信レベルを監視し、切り替え回路３０２および切り替え回路３０３は受信レベルが一定値以下になった無線回路の受信帯域のノイズを減衰させるようなノイズ除去回路の通過経路を選択する。
【００５９】
（実施形態５）
図１４に、本実施形態に係るノイズ低減装置の一例を示す。本実施形態に係るノイズ低減装置は、実施形態３で説明したノイズ低減装置が無線機１０３である場合について説明する。
【００６０】
無線機１０３は、３つの無線回路２０１，２０２，２０３と２つのノイズ除去回路３１１，３１２を備える。無線回路２０１、２０２、２０３のうちどれか二つの受信帯域が近い場合、ノイズ除去回路は該当する無線回路で共有する。さらに本実施形態に係るノイズ低減回路、ノイズ低減装置、ノイズ低減方法及びノイズ低減プログラムは、Ｎ個の無線回路とＭ個のノイズ除去回路に拡張することも可能である。このときＮ≧Ｍとなる。
【産業上の利用可能性】
【００６１】
本発明は、携帯電話、スマートフォン、ＰＤＡ、ノートＰＣなどに適用することができるため、情報通信産業に利用することができる。
【符号の説明】
【００６２】
１００：ノイズ低減装置
１０１、１０２、１０３：無線機
２０１、２０２、２０３：無線回路
３０１：ＣＰＵ
３０２、３０３：切り替え回路
３０４：機能回路
３１１、３１２、３１３：ノイズ除去回路
【図１】
2011071909.tif 000003
【図２】
2011071909.tif 000004
【図３】
2011071909.tif 000005
【図４】
2011071909.tif 000006
【図５】
2011071909.tif 000007
【図６】
2011071909.tif 000008
【図７】
2011071909.tif 000009
【図８】
2011071909.tif 000010
【図９】
2011071909.tif 000011
【図１０】
2011071909.tif 000012
【図１１】
2011071909.tif 000013
【図１２】
2011071909.tif 000014
【図１３】
2011071909.tif 000015
【図１４】
2011071909.tif 000016